(57)【要約】【課題】建設工事現場や土木工事現場で建設資材や工事施工物の保護を目的として利用されている養生シートは、シート連結時の密閉度不足が原因で土砂や雨水の流入が日常的に発生しているのが現実である。この状況を改善し、広範囲の養生シート連結時においても確実に内部の被養生物を保護できる連結固定具の開発が望まれている。【解決手段】長尺・中空の直方体の上面中央部を長尺方向に取り去り、該中空部に芯材を挿入して外形寸法を元の直方体と同寸に形成し、底面中央部の長尺方向に沿ってボルト孔および釘孔を設けたものを１本とし、同一仕様・同一寸法の他の１本と芯材面同士を向かい合わせて一対の養生シート連結固定具とした。【選択図】図１
2018066252.tif 000002
【特許請求の範囲】
【請求項１】
長尺・中空の直方体の上面中央部を長尺方向に取り去り、該中空部に芯材を挿入して外形寸法を元の直方体と同寸に形成し、底面中央部の長尺方向に沿ってボルト孔および釘孔を設けたものを１本とし、同一仕様・同一寸法の他の１本と芯材面同士を向かい合わせて一対の機能体としたことを特徴とする養生シート連結固定具。
【発明の詳細な説明】
【技術分野】
【０００１】  本発明は、建設工事現場などにおいて建設資材や工事施工物の保護を行なう養生シートを連結する固定具に関するものである。
【背景技術】
【０００２】  建設工事現場や土木工事現場では、工事開始から工事終了後までの長期にわたり、建設資材やコンクリート打ちした構造物、工事施工物の保護を確実かつ広範囲に行なうためにブルーシートなどの養生シートの使用が不可欠となっている。地震や豪雨による崖崩れなどの自然災害では、山の斜面や高速道路沿いの法面、鉄道線路沿いの広大な地域が長引く降雨や豪雨によって地滑りを起こし、道路の閉鎖や家屋の損壊、人命の喪失など多大な損害が発生している。こうした斜面での復旧工事では、ブルーシートで広範囲を覆い雨水の浸入を遮断して、修復中の盛り土が降雨により再び崩れないようにする必要がある。【０００３】  従来行なわれてきた工法は、ブルーシートを何枚も重ねて斜面の上に敷き、その重ね目にシートを固定する鉄杭を打ち込み、さらに斜面の上からブルーシート上に何本ものロープを垂らし、強風でのめくれや飛散を防ぐために土のうを縛り付けるのが一般的なやり方であった。鉄杭の間隔が大きいと風雨、特に雨水が流入しやすく、また作業者にとっては足場もない斜面での工事でスリップ事故や転倒事故を引き起こしかねない危険な作業である。斜面のみならず、平地における有害物質を取り除く土壌改良工事でも、何枚もの養生シートの重ね目に押さえとして置く角材や土のう袋では不十分で、雨がシートの合わせ目から浸入して水浸しとなり土中の有害物質が流れ出る危険性をはらんでいる。
【先行技術文献】
【特許文献】
【０００４】
【特許文献１】特開２００４−００３１５６号公報
【発明の概要】
【発明が解決しようとする課題】
【０００５】  本願発明の養生シート連結固定具は、上述した土木作業や建設作業現場における危険な作業、労力を要する作業を軽減するとともに、養生シートの密閉度を高め、風雨や土砂の浸入、流出を防止する養生シートの連結固定具を提供しようとするものである。
【課題を解決するための手段】
【０００６】    上記課題を解決するために請求項１に記載の発明は、長尺・中空の直方体の上面中央部を長尺方向に取り去り、該中空部に芯材を挿入して外形寸法を元の直方体と同寸に形成し、底面中央部の長尺方向に沿ってボルト孔および釘孔を設けたものを１本とし、同一仕様・同一寸法の他の１本と芯材面同士を向かい合わせて一対の機能体としたものである。
【発明の効果】
【０００７】（１）養生シートを重ねて上下から隙間なく挟み込むため雨水や土砂の浸入、流出がなく広範囲に効果的な養生ができる。
（２）連結固定具は１本の長さが短く組立、保管、運搬時の取り扱いが容易で、組み替えて繰り返し何回でも利用できる。
【図面の簡単な説明】
【０００８】
【図１】  ２本一対で成る養生シート連結固定具を示す斜視図である。
【図２】  連結固定具に芯材を挿入する状態を示す連結固定具の端部拡大斜視図である。
【図３】  養生シート２枚を連結する状態を示す一対の連結固定具の側面図である。
【図４】  連結固定具５種類の全長およびボルト孔の位置、ボルト孔間およびボルト孔から端部までの寸法を示す平面図である。
【図５】  養生シート４枚の角部を重ねて連結する四隅連結固定具を示す断面説明図である。
【図６】  ５種類の連結固定具を用いて縦５４０ｃｍ、横９００ｃｍのブルーシートを何枚も連結して養生面積を拡大していく様子を示すイメージ平面図である。
【発明を実施するための形態】
【０００９】  以下、本発明の実施の形態を図１〜図７に基づいて説明する。
（実施の形態１）
【００１０】  図１は本発明の実施の形態１に係る、２本を一対として成る養生シート連結固定具（以下、連結固定具という）の全体像を示す斜視図である。２本とも寸法、構造、材質は全く同じ長尺直方体で、使用するときは一方の天地を逆にして芯材３同士を向き合わせて使用する。芯材３を保持する連結固定具１の外枠２は断面が略コの字形をしており、コの字の開口部をつぼめて芯材３をしっかり保持する構造となっている。２本の連結固定具１同士の連結はボルト６とナット７および釘１３により行なう。材質は、外枠２が合成樹脂製、芯材３が木製である。１本の幅は５〜６ｃｍ、高さ２〜３ｃｍ、長さは養生シート（以下、説明の都合上ブルーシートという）のサイズにより８６ｃｍ〜２１３ｃｍのものを４種類（別にブルーシートの角部をまとめて固定する小型の種類が１個ある）を用意して使い分ける。
【００１１】  図２は連結固定具１に木製の芯材３を挿入するところを示す斜視図である。連結固定具１の外枠２の上面中央部（図２の下図）を長尺方向に取り去り、その中空部に芯材３を挿入する。芯材３挿入後の形状および外形寸法は、上面中央部を取り去る前の直方体と全く同じである。２本の連結固定具１は芯材３が露出した面同士を向かい合わせ、その間に養生シートとして用いるブルーシートを挟み込んでボルト６とナット７で締め付ける。外枠２の底面には、ボルト６を挿入するボルト孔４とそれ以外の部位には釘打ち用の釘孔５を何個か設ける。ボルト孔４は２本の連結固定具１の間に２枚のブルーシートを挟み固定するための孔で、孔の間隔はブルーシートの周囲に設けられているハトメ孔間と同じ９０ｃｍである。９０ｃｍという間隔はあくまで日本製の規格品ブルーシートの場合であり、外国製のブルーシートではこの間隔が異なることが往々にしてあるので注意を要する。
【００１２】  日本製の規格品ブルーシートであっても、角にあるハトメ孔１２と隣のハトメ孔１２との間隔は９０ｃｍより２ｃｍ前後短くなっていることが多いので、連結固定具１にあけるボルト孔４はブルーシートのハトメ孔１２との位置ずれを考慮して４〜６ｃｍ程度の横長の孔として設けておくのがよい。なお、外国製ブルーシートを使うと連結固定具１のボルト孔４を横長にしておいてもずれが生じる場合が発生しうる。この場合には、連結固定具１のボルト孔４の位置に合わせブルーシートに孔を新規にあけてハトメ金具で補強するようにすれば、問題なくブルーシートの連結固定ができる。ハトメ孔あけ用の工具セットはホームセンター等で入手できるので、備えておくと便利である。
【００１３】  ハトメ孔１２にボルト６を挿入して締めただけでは、雨水や土砂の浸入を防ぐ密閉度が確保できないため、外枠２に釘打ち用の釘穴５を何個か設けて釘１３を打ち、連結固定具１とブルーシートとの密着度を高める。ボルト孔４は外枠２だけにあけておいてもよいし、外枠２および芯材３の両方にあけておいてもよいが、釘穴５は外枠２にあけるだけで芯材３には設ける必要がない。釘１３を打てば木製の芯材３にしっかりと入っていくからである。連結固定具１はどちらの固定具が上に来るかわからないので、２本の連結固定具１にはどちらにも外枠２にボルト孔４同様に釘孔５を設けておく。
【００１４】  連結固定具１は２枚のブルーシートを重ね上下から挟み込みボルト６と釘１３で密着させるため、雨水や砂ぼこりの入り込む余地は少ないが、１００坪、２００坪といった広範囲にわたる平地や傾斜地を雨水浸入防止の養生をする場合は、雨水漏れに万全を期すため２本の連結固定具間にゴムシートを挿入すれば、より密着度が高まり雨水遮断効果が生まれる（図示省略）。
【００１５】  図３に示すように、連結固定具１でブルーシート８を固定するために使用するボルト６にはナットを使用するが、このナットは先端にリングが付いたナット７でもよいし一般的なナット１１でも構わない。前者を使うと、リングにロープなどを通して近くの建設用パイプや立ち木、石などに結び付けることができて固定するのに都合がよい。
【００１６】  図４は本発明で使用する連結固定具の５種類の全長およびボルト孔（釘孔は省略）の位置、ボルト孔間およびボルト孔から端部までの寸法を示す平面図である。連結固定具１に設けるボルト孔４は、２本セットで使うためどの種の連結固定具であっても種類ごとに所定の同位置に設けるようにしてある。Ｅの四隅連結固定具９は別として、連結固定具４本のうちＡだけボルト孔４の位置が他の３本に比べて異なる。これは、Ａの端部のボルト孔４はブルーシート８の周縁部にあるハトメ孔１２に留めるための孔として使われるためである。
【００１７】  連結固定具１の長さは、何本かを組み合わせた全長が市販されている各サイズのブルーシート８の各辺の長さとほぼ一致するように、Ａ、Ｂ、Ｃ、Ｄ、Ｅという５種類の長さを用意し、適当な長さのものを組み合わせて使用する。図４で示すように、長さの一例としてＡ＝１３１ｃｍ、Ｂ＝１７６ｃｍ、Ｃ＝２１３ｃｍ、Ｄ＝８６ｃｍの長尺形、Ｅは直径５〜１０ｃｍの円形または四角形とすれば、各種サイズのブルーシートにほぼ対応が可能である。このように連結固定具１の長さを短くして何本も使用できるため、地表や養生面の凹凸によくなじんでブルーシートの下に不必要な空間ができない利点がある。したがって、雨水や土砂の浸入を防ぐことができ、連結したシートを折り畳んで移動とか保管する場合にも短いほうが扱いやすくて便利である。
【００１８】  各連結固定具には、全長の他にボルト孔４の位置と数、ボルト孔間およびボルト孔と端部までの距離が決めてあり、それぞれに役割が与えられている。連結固定具Ａには２個のボルト孔４があるが、端部にあるボルト孔４は横長ではなくて単なる円形の孔である。Ａは基本的にブルーシート８の端部に使用する連結固定具であり、中間の連結固定具としては使用しない。この円形孔はブルーシート８のハトメ孔１２にボルトで留めるためにあり、他の連結固定具とは異なる位置（端部）に設けてある。２個のボルト孔間の距離も８８ｃｍでＢおよびＣの９０ｃｍより短くしてあるが、これは端部のハトメ孔が少し内側に位置しているためである。
【００１９】  連結固定具のボルト孔４から端部までの距離は、Ａ、Ｂ、Ｃ、Ｄとも４３ｃｍ（ただしＡとＣの片方側は距離が異なるが）で、他の連結固定具と並べて使用したときに４３＋４３＝８６ｃｍとハトメ孔間の９０ｃｍより４ｃｍ短くなるが、隣接する連結固定具との間に４ｃｍの余裕をみているためである。
【００２０】  連結固定具Ｃの片側は、ボルト孔から端部までの距離が８０ｃｍとなっているが、これは４枚のブルーシートの角部を集めてボルト締めする直径５〜１０ｃｍある四隅連結固定具９（Ｅ）がハトメ孔１２を使用するために通常のハトメ孔間距離９０ｃｍより約１０ｃｍ近く短くなるためである。基本的にＣは四隅連結固定具９に隣接して使用する連結固定具という設定である。
【００２１】  連結固定具Ｄは、図４で示すようにボルト孔４が中央に１個だけ設けてある特別な固定具である。使う場所によりＡ、Ｂ、Ｃの代わりにＣ、Ｄ、Ｃとしてブルーシート両端の四隅連結固定具９にＣを隣接させることができる便利さを持っている。Ａ、Ｂ、Ｃだけでは対応できない部位に使える便利な連結固定具である。
【００２２】  図５はその四隅連結固定具９を示すが、ブルーシート４枚の角部分を重ねる中心部では、シートの厚みが増して２枚のシートを挟み込む他の部分より密閉度が下がり、Ａ、Ｂ、Ｃ、Ｄといった長尺型の連結固定具１は使用できない。代わりに、円形または四角形の直径または１辺が５〜１０ｃｍの特別の連結固定具を使用する。長尺型の連結固定具はブルーシート８の角部手前まで使用し、４枚の角部が寄り集まる部分には別途、四隅連結固定具９を使用して雨水の浸入と流出を防ぐ。四隅連結固定具９は４枚のシート角部を覆い、雨水や土砂の浸入を防ぐカバー１０とボルト６、ナット１１または７から構成される。
【００２３】  連結固定具１はシートとシートの合わせ目に取り付ける器具であり、ねじれや曲げに強くかつコストが安く軽量の素材が好ましい。塩化ビニールなどの合成樹脂が適当であるが、錆にも強いアルミなどの金属も利用できる。
【００２４】  連結固定具１の種類および全長などの寸法は図４で示すとおりである。一例であるが、Ａ＝１３１ｃｍ、Ｂ＝１７６ｃｍ、Ｃ＝２１３ｃｍ、Ｄ＝８６ｃｍとしたので、これらを組み合わせて実際のブルーシート８を連結する場合の試行を行なってみたい。養生する面積が１００坪、２００坪あるいはそれ以上と想定して、縦５４０ｃｍ、横９００ｃｍの大きなサイズのブルーシート８を連結する場合を想定したイメージ図が図６である（連結固定具１のボルト孔４および釘孔５は省略）。ブルーシート８を連結する場合には、ブルーシートのサイズによって使用する連結固定具の種類と本数を決めておくと実務上やりやすい。例えば、１辺が５４０ｃｍのブルーシートの端から使用する場合にはＡとＢとＣの３本（長さ計５２０ｃｍ）を、ブルーシート中間に使用する場合はＣ、Ｄ、Ｃの３本を使用する。１辺が９００ｃｍでブルーシート端部を含む場合にはＡ、Ｂ、Ｂ、Ｂ、Ｃの５本を、ブルーシート中間に使用する場合はＣ、Ｂ、Ｂ、Ｄ、Ｃ（長さ計８６４ｃｍ）の５本を使用するという具合である。ブルーシート８の実寸法との差は連結固定具間に間隔を置くことで対応する。
【００２５】  次に、具体的にどのようにして組み立てていくのかを見てみたい。まず、ブルーシート（ａ）と（ｂ）をつなぐ。わかりやすいように図６を見ながら説明すると、ブルーシート（ａ）の下側に（ｂ）の上側を連結固定具Ａ、Ｂ、Ｂ、Ｂ、Ｃの５本を使って連結する。連結した長さは、１３１ｃｍ＋１７６ｃｍ＋１７６ｃｍ＋１７６ｃｍ＋２１３ｃｍ＝８７２ｃｍとなり、ブルーシート８の長さ９００ｃｍに２８ｃｍ足りないが、連結固定具と連結固定具の間に数センチの余裕をみている点と、ブルーシート４枚を重ねた場合の中心部にも四隅連結固定具９の取り付け用に１０ｃｍ弱の余裕が必要なことから、この不足する２８ｃｍは必要な長さであり問題はない。これで（ａ）と（ｂ）の２枚は連結されたことになる。
【００２６】  続いてブルーシート（ａ）と（ｃ）をつなぐ。（ａ）の右側に（ｃ）の左側を連結するのであるが、図のようにブルーシート端部の場合は、連結固定具Ａ、Ｂ、Ｃを各１本使う。連結方法は上記と同じであり、２本連結した長さは、１３１ｃｍ＋１７６ｃｍ＋２１３ｃｍ＝５２０ｃｍである。これもブルーシートの縦の長さ５４０ｃｍに対して２０ｃｍ足りないが、前項と同じ理由で問題はない。連結固定具１を中間部に使用する場合はＣ、Ｄ、Ｃの３本を使用し、長さは５１２ｃｍとなる。
【００２７】  これでブルーシート３枚が連結されたことになるが、次に（ｂ）と（ｃ）に（ｄ）のブルーシートをつなぐ。（ｃ）の下側に（ｄ）の上側をつなぎ、（ｂ）の右側に（ｄ）の左側をつなぐ。これで４枚のブルーシートが連結されて、４枚分の大きさのブルーシートが出来上がることになる。このあとは、ブルーシート（ｂ）と（ｄ）の下に（ｅ）と（ｆ）をつなぎ、（ｃ）と（ｄ）の右に（ｇ）と（ｈ）をつなぐという具合にして順次シート面積を広げていく。このようにして、ブルーシートを何枚も何枚も連結していけば、やがて何百坪もの広大な面積を覆う養生シートをも組み立てることができる。
【００２８】  ここでもう一つやるべき作業が残っている。それはブルーシート４枚を重ねた中心部が、ただ重ねただけで固定されておらず、雨水や土砂が容易に浸入できる状態のままになっていることに対する対策である。４枚の角が重なる部分をまとめ、４個のハトメ孔１２にボルト６を通してその上から四隅連結固定具９のカバー１０で覆い、ナット１１またはナット７で締めて固定する必要がある。これが実施されて初めてブルーシート４枚から成る単位シートが完成することになる。
【００２９】  上記の他に注意する点としては、ブルーシートを平面上に敷く場合はシートの重なり部分の重なり方について考慮する必要はあまりないが、シートを山などの斜面または建物の壁などの垂直面に垂らして覆う場合には、高い方に位置するシートを上にして重ねるようにしなければならない。こうすれば、雨水等の浸入をより確実に防ぐことができる。
【００３０】  連結固定具を何本も用意しなくても、各種ブルーシートの長さに合わせて、例えば１辺が３６０ｃｍから９００ｃｍのブルーシートに１本で対応できる長さの連結固定具を用意すれば、各シートとも４辺を各１本の連結固定具のみでカバーできるので簡単ではないかという見方もある。たしかに、こうすれば使用する連結固定具の本数も少なくて済み合理的な方法のようにも思えるが、逆に長さが長すぎて組立や保管や運搬がたいへんとなり、かえって取り扱いにくいものとなる。このことを考えれば、シート１辺に２本から５本程度連結固定具を使用する短尺複数型の方が優れているといえそうである。
【符号の説明】
【００３１】  １・・・養生シート連結固定具
２・・・外枠
３・・・芯材
４・・・ボルト孔
５・・・釘孔
６・・・ボルト
７・・・リングナット
８・・・ブルーシート（養生シート）
９・・・四隅連結固定具
１０・・・カバー
１１・・・ナット
１２・・・ハトメ孔
１３・・・釘
（ａ）〜（ｈ）・・・ブルーシートの個別名称
【図１】
2018066252.tif 000003
【図２】
2018066252.tif 000004
【図３】
2018066252.tif 000005
【図４】
2018066252.tif 000006
【図５】
2018066252.tif 000007
【図６】
2018066252.tif 000008